(57)【要約】【課題】収納体２０がハウジング１０内に格納される時にトレー３０が引き出されていたか格納されていたかにかかわらず、再度収納体２０を引き出す際に、収納体２０とトレー３０とが連動して引き出される引き出し装置１００を提供すること。【解決手段】引き出し装置１００は、前面開口の箱形状のハウジング１０と、ハウジング１０に出し入れ可能に設けられた上方開口の収納体２０と、収納体２０の上方に配置されて収納体２０とは個別にハウジング１０に出し入れ可能なトレー３０と、を備えている。収納体２０及びトレー３０には、それぞれ、互いに係合可能な係合部２６、２７、３６が設けられ、収納体２０がハウジングから引き出されることにより、係合部２６、２７、３６が互いに係合して収納体２０とトレー３０とが連動してハウジング１０から引き出される。【選択図】図７Ｂ
2018069897.tif 000002
【特許請求の範囲】
【請求項１】
前面開口の箱形状のハウジングと、
前記ハウジングに出し入れ可能に設けられた上方開口の収納体と、
前記収納体の上方に配置されて前記収納体とは個別に前記ハウジングに出し入れ可能なトレーと、
を備え、
前記収納体及び前記トレーには、それぞれ、互いに係合可能な係合部が設けられ、
前記収納体が前記ハウジングから引き出されることにより、前記係合部が互いに係合して前記収納体と前記トレーとが連動して前記ハウジングから引き出される
ことを特徴とする引き出し装置。
【請求項２】
前記係合部は、前記収納体及び前記トレーのうち少なくとも一方に前記収納体の出し入れ方向に沿って複数設けられ、当該複数の係合部は、前記収納体及び前記トレーのうち他方に設けられた前記係合部と選択的に係合する
ことを特徴とする請求項１に記載の引き出し装置。
【請求項３】
前記トレーを前記収納体に対して移動させることにより、前記収納体及び前記トレーのうち一方に設けられた前記係合部と前記収納体及び前記トレーのうち他方に設けられた前記係合部との係合状態が解除可能である
ことを特徴とする請求項１または２に記載の引き出し装置。
【請求項４】
前記トレーは、容器挿入孔または容器挿入用切り欠き部を有する
ことを特徴とする請求項１乃至３のいずれか一項に記載の引き出し装置。
【請求項５】
前記トレーは、前記ハウジングの開口側に少なくとも１つの操作部を有する
ことを特徴とする請求項１乃至４のいずれか一項に記載の引き出し装置。
【請求項６】
前記収納体の前記係合部と前記トレーの前記係合部とのうち少なくとも一方は、前記収納体の出し入れ方向に対して傾斜した斜面を有する
ことを特徴とする請求項１乃至５のいずれか一項に記載の引き出し装置。
【発明の詳細な説明】
【技術分野】
【０００１】
本発明は、引き出し装置に関する。
【背景技術】
【０００２】
従来、自動車等の車室内に設けられる引き出し装置として、例えば、本出願人による特許第５３３６２４７号公報（特許文献１）が知られている。この特許文献１に記載された引き出し装置２００が図１１及び図１２に示されている。図１１は、従来の引き出し装置２００を示す概略斜視図であり、図１２は、図１１の分解斜視図である。図１１及び図１２に示すように、前面開口の箱形状のハウジング１１０と、ハウジング１１０に出し入れ可能に設けられた上方開口の収納体１２０（特許文献１のトレー）と、収納体１２０の上方に配置されて収納体１２０とは個別にハウジング１１０に出し入れ可能に設けられたトレー１３０（特許文献１のカップホルダプレート）と、を備えている。このような構成により、特許文献１の引き出し装置２００は、収納体１２０のみが引き出された状態では小物入れとして利用でき、収納体１２０とトレー１３０との双方が引き出された状態では、カップホルダとして利用できる。
【０００３】
この引き出し装置２００は、トレー１３０と収納体１２０とを選択的に連結可能な連結機構１８０（図１１参照）を更に有しており、トレー１３０と収納体１２０との双方が最大引き出し位置に引き出された状態から双方がハウジング１１０内に格納される場合には、連結機構１８０によってトレー１３０と収納体１２０とが連動して格納されるようになっている。そして、再度収納体１２０をハウジング１１０から引き出すと、連結機構１８０の作用によってトレー１３０も引き出されるため、追加的な操作を行うことなく、引き出し装置２００をカップホルダとして使用することができる。更に、この状態からトレー１３０のみをハウジング１１０内に格納すれば、引き出し装置２００を小物入れとして使用することができる。このように、特許文献１の引き出し装置２００は、面倒な操作を必要とすることなく、小物入れあるいはカップホルダとして選択的に使用することができる、使い勝手の良いものである。
【０００４】
一方、引用文献１の引き出し装置２００は、収納体１２０のみが最大引き出し位置に引き出された状態から、すなわちトレー１３０のみがハウジング１１０内に格納された状態から、収納体１２０をハウジング１１０内に格納した場合には、再度収納体１２０をハウジング１１０から引き出す時にトレー１３０が連動しては引き出されない。これは、収納体１２０とトレー１３０とが引き出された状態からトレー１３０のみをハウジング１１０内に格納させる際に、連結機構１８０による収納体１２０とトレー１３０との連結状態が解除されるためである。この場合、引き出し装置２００をカップホルダとして使用する際には、手動でトレー１３０をハウジング１１０から引き出すことが必要であるため、更なる利便性の向上が求められていた。
【先行技術文献】
【特許文献】
【０００５】
【特許文献１】特許第５３３６２４７号公報
【発明の概要】
【発明が解決しようとする課題】
【０００６】
本発明は、以上の状況に鑑みて創案されたものである。すなわち、本発明の目的は、収納体がハウジング内に格納される時にトレーが引き出されていたか格納されていたかにかかわらず、再度収納体を引き出す際に、収納体とトレーとが連動して引き出される引き出し装置を提供することである。換言すれば、本発明の目的は、収納体を引き出す際に常にトレーも連動して引き出される引き出し装置を提供することである。
【課題を解決するための手段】
【０００７】
本発明は、前面開口の箱形状のハウジングと、
前記ハウジングに出し入れ可能に設けられた上方開口の収納体と、
前記収納体の上方に配置されて前記収納体とは個別に前記ハウジングに出し入れ可能なトレーと、を備え、
前記収納体及び前記トレーには、それぞれ、互いに係合可能な係合部が設けられ、
前記収納体が前記ハウジングから引き出されることにより、前記係合部が互いに係合して前記収納体と前記トレーとが連動して前記ハウジングから引き出される
ことを特徴とする引き出し装置である。
【０００８】
本発明によれば、収納体がハウジング内に格納される時にトレーが引き出されていたか格納されていたかにかかわらず、収納体及びトレーにそれぞれ設けられた係合部が互いに係合する。このため、再度収納体を引き出す際に、収納体とトレーとが連動して引き出される引き出し装置、すなわち収納体を引き出す際に常にトレーも連動して引き出される引き出し装置、を提供することができる。
【０００９】
このような引き出し装置において、前記係合部は、前記収納体及び前記トレーのうち少なくとも一方に前記収納体の出し入れ方向に沿って複数設けられ、当該複数の係合部は、前記収納体及び前記トレーのうち他方に設けられた前記係合部と選択的に係合するようになっていて良い。
【００１０】
この場合、収納体をハウジングから引き出す際に、収納体とトレーとを確実に連動させることができる。更に、収納体に対するトレーの相対位置を選択的に決定することができる。
【００１１】
また、前記トレーを前記収納体に対して移動させることにより、前記収納体及び前記トレーのうち一方に設けられた前記係合部と前記収納体及び前記トレーのうち他方に設けられた前記係合部との係合状態が解除可能であっても良い。
【００１２】
この場合、収納体とトレーとを個別に引き出すことができる。更に、収納体とトレーとをハウジングから引き出した状態でトレーのみをハウジング内に格納すれば、収納体を小物入れとして利用することができる。
【００１３】
以上の引き出し装置において、前記収納体の前記係合部と前記トレーの前記係合部とは、前記収納体の出し入れ方向に沿って配置され、少なくとも一方が弾性部材を有していて良い。
【００１４】
この場合、簡易な構成によって、収納体の係合部とトレーの係合部とが互いを乗り越え可能な（係合状態を解除可能な）機構を実現できる。係合状態が解除される際にクリック感を発生させることができる。
【００１５】
あるいは、以上の引き出し装置において、前記収納体の前記係合部と前記トレーの前記係合部とは、前記収納体の出し入れ方向に沿って配置され、少なくとも一方が付勢手段を介して設けられていても良い。
【００１６】
この場合も、簡易な構成によって、収納体の係合部とトレーの係合部とが互いを乗り越え可能な（係合状態を解除可能な）機構を実現できる。すなわち、収納体とトレーとを個別に出し入れ可能な引き出し装置を実現できる。更に、係合状態が解除される際にクリック感を発生させることができる。
【００１７】
前記トレーは、容器挿入孔または容器挿入用切り欠き部を有していて良い。この場合、トレーにより、缶等の容器を安定して保持することができる。
【００１８】
また、前記トレーは、前記ハウジングの開口側に少なくとも１つの操作部を有していて良い。この場合、トレーのみをハウジングから出し入れする操作を容易に行うことができる。
【００１９】
また、前記収納体の前記係合部と前記トレーの前記係合部とのうち少なくとも一方は、前記収納体の出し入れ方向に対して傾斜した斜面を有していて良い。
【００２０】
この場合、収納体の係合部とトレーの係合部とが互いを乗り越える際に、スムーズな動作を実現することができる。
【発明の効果】
【００２１】
本発明によれば、収納体がハウジング内に格納される時にトレーが引き出されていたか格納されていたかにかかわらず、収納体及びトレーにそれぞれ設けられた係合部が互いに係合する。このため、再度収納体を引き出す際に、収納体とトレーとが連動して引き出される引き出し装置を提供することができる。
【図面の簡単な説明】
【００２２】
【図１Ａ】本発明の一実施の形態による引き出し装置の格納状態を示す概略斜視図である。
【図１Ｂ】図１Ａの引き出し装置を異なる角度から示す概略斜視図である。
【図２】図１Ａ及び図１Ｂの引き出し装置のハウジングを示す概略斜視図である。
【図３】図１Ａ及び図１Ｂの引き出し装置の収納体を示す概略斜視図である。
【図４Ａ】図１Ａ及び図１Ｂの引き出し装置のトレーを示す、上方から見た概略斜視図である。
【図４Ｂ】図１Ａ及び図１Ｂの引き出し装置のトレーを示す、下方から見た概略斜視図である。
【図５】図１Ａ及び図１Ｂの引き出し装置を示す概略平面図である。
【図６】図５のＡ−Ａ線断面図である。
【図７Ａ】図１Ａ及び図１Ｂの引き出し装置の、収納体及びトレーが共に引き出された状態を示す概略斜視図である。
【図７Ｂ】図７Ａの引き出し装置を異なる角度から示す概略斜視図である。
【図８】図５のＡ−Ａ線に対応する線で切断した、図７Ａ及び図７Ｂの概略断面図である。
【図９Ａ】図１Ａ及び図１Ｂの引き出し装置の、収納体のみが引き出された状態を示す概略斜視図である。
【図９Ｂ】図９Ａの引き出し装置を異なる角度から示す概略斜視図である。
【図１０】図５のＡ−Ａ線に対応する線で切断した、図９Ａ及び図９Ｂの概略断面図である。
【図１１】従来の引き出し装置を示す概略斜視図である。
【図１２】図１１の分解斜視図である。
【発明を実施するための形態】
【００２３】
以下に、添付の図面を参照して、本開示の一実施の形態を詳細に説明する。
【００２４】
図１Ａは、本発明の一実施の形態による引き出し装置１００の格納状態を示す概略斜視図であり、図１Ｂは、図１Ａの引き出し装置１００を異なる角度から示す概略斜視図である。また、図２乃至図４Ｂは、図１Ａ及び図１Ｂに示す引き出し装置１００の構成部品を示している。具体的には、図２は、引き出し装置１００のハウジング１０を示す概略斜視図であり、図３は、引き出し装置１００の収納体２０を示す概略斜視図であり、図４Ａは、引き出し装置１００のトレー３０を示す、上方から見た概略斜視図であり、図４Ｂは、トレー３０を下方から見た概略斜視図である。
【００２５】
図１乃至図４Ｂに示すように、引き出し装置１００は、前面開口の箱形状のハウジング１０と、ハウジング１０に出し入れ可能に設けられた上方開口の収納体２０と、収納体２０の上方に配置されて収納体２０とは個別にハウジング１０に出し入れ可能なトレー３０と、を備えている。
【００２６】
ハウジング１０は、車両のインパネなど引き出し装置１００が使用される場所に設置されて、収納体２０及びトレー３０を内部に格納するためのものである。本実施の形態のハウジング１０は、樹脂製であり、４枚の側壁１１〜１４と、これらの側壁１１〜１４の後部に配置された後壁１５と、によって構成された箱形の形状を有し、前面（図２における手前側の面）に開口部１０ａが規定されている。対面する一対の側壁１１、１３は、円弧に沿った形状の開口部１１ｎ、１３ｎと、当該開口部１１ｎ、１３ｎに沿ってその上方に設けられた突条１１ｐ、１３ｐと、を有している。後述されるが、これらの開口部１１ｎ、１３ｎ及び突条１１ｐ、１３ｐによって、収納体２０がガイドされるようになっている。更に、ハウジング１０の内側には、側壁１１、１３の上部（図２における上部）に突条１１ｇ（側壁１３に設けられた突条は、図２では視認されない）が、側壁１２に互いに平行な２本の長孔１２ｎ（図１Ｂ参照）が、それぞれ設けられており、これらの突条１１ｇ及び長孔１２ｎによって、トレー３０がガイドされるようになっている。
【００２７】
次に、収納体２０について図３を参照して説明する。図示されるように、収納体２０は、上方が開口となった収納部２１と、この収納部２１の前面（図３における左上方の面）に設けられた化粧板２２と、を有している。本実施の形態の収納部２１及び化粧板２２は、いずれも樹脂製である。収納部２１は、一対の側壁２１ｗと後壁２１ｒと底部２５とを有する箱形の形状を有している。一対の側壁２１ｗには、外面に弾性爪２３と、弧状のガイド溝２４と、がそれぞれ設けられている。収納体２０がハウジング１０内に装着された状態において、弾性爪２３は、ハウジング１０の開口部１１ｎ、１３ｎ内に位置付けられるようになっており、ガイド溝２４は、ハウジング１０の突条１１ｐ、１３ｐに摺動可能に係合するようになっている。更に、図３に示すように、収納体２０の後壁２１ｒは、収納体２０の底部２５に対して鋭角をなすように配置されており、その外面には、係合部として第１突起２６及び第２突起２７が設けられている。これら第１突起２６及び第２突起２７は、図３に示すように、収納体２０の後壁２１ｒに対して鈍角をなすように傾斜した斜面２６ｓ、２７ｓを有している。
【００２８】
次に、図４Ａ及び図４Ｂを参照して、トレー３０について説明する。図示されるように、トレー３０は、板状の本体部３１と、本体部３１の上面（図４Ａにおける手前側の面）に幅方向に整列して設けられた２つの弾性爪３４と、本体部３１の裏面に設けられた係合部３６と、本体部３１の前方に設けられた２つの操作部３２、３３と、を有している。本実施の形態の本体部３１は、図示されるように、前端面３５の輪郭線が円弧状となるように切り欠かれており、トレー３０によって飲料が収容された紙コップや缶などが好適に保持されるようになっている。また、２つの操作部３２、３３は、図４Ａ及び図４Ｂに示すように、前端面３５の幅方向の両端部に１つずつ設けられている。但し、一方（図４Ａにおける左方、図４Ｂにおける右方）の操作部３２は、他方（図４Ａにおける右方、図４Ｂにおける左方）の操作部３３よりも前方（図４Ａ及び図４Ｂにおける左上方）に延び出ている。更に、本体部３１の両側面には、案内溝３１ｇが設けられている。
【００２９】
ここで、図４Ｂを参照して、本実施の形態の係合部３６の構造について詳述する。係合部３６は、樹脂製であり、幅方向に延びるトンネル状の外形を有する凸部３６ｐとこの凸部３６ｐの周縁部の前後において立ち上がる一対の壁部３６ｗと、凸部３６ｐの幅方向両端に設けられた係合突起３６ｅを有している。更に、この係合突起３６ｅを収容する所定の長さの係合孔３７ｎが設けられた台座３７が本体部３１の裏面から垂下しており、この係合孔３７ｎ内を係合突起３６ｅが移動することによって、係合部３６が本体部３１に対して上下方向（本体部３１の上面における法線方向）に移動可能となっている。但し、図４Ｂには現れていないが、係合部３６は、伸縮可能なコイルバネ３８（図６、図８及び図１０参照）によって本体部３１に対して下方（図４における左手前方向）に付勢されている。この係合部３６は、収納体２０がハウジング１０から引き出されることにより、収納体２０の後壁２１ｒに設けられた第１突起２６または第２突起２７に互いに係合するようになっている。このことによって、収納体２０とトレー３０とが連動してハウジング１０から引き出されるのである。更に、収納体２０とトレー３０とが引き出し方向（図１Ａの略左右方向）に相対移動される際に、コイルバネ３８の存在によって、係合部３６が収納体２０の第１突起２６及び第２突起２７を乗り越えることが可能である。すなわち、係合部３６と収納体２０の第１突起２６及び第２突起２７との係合状態が解除可能となっている。
【００３０】
次に、ハウジング１０、収納体２０及びトレー３０を組み付ける方法の一例について説明する。
【００３１】
まず、ハウジング１０の突条１１ｇとトレー３０の案内溝３１ｇとが互いに嵌り合うようにハウジング１０にトレー３０がセットされ、この状態でトレー３０がハウジング１０内に押し込まれる。この時、トレー３０は、本体部３１の上面に設けられた２つの弾性爪３４が側壁１２に当接して撓みつつハウジング１０内に移動される。そして、当該弾性爪３４がハウジング１０の側壁１２に設けられた２本の長孔１２ｎに入り込むと、その撓み状態が解放される。弾性爪３４は、図４Ａに示すように、トレー３０の前方に向かって次第に立ち上がる形状となっている。このため、トレー３０がハウジング１０に取り付けられた状態でトレー３０をハウジング１０から引き抜こうとすると、弾性爪３４と長孔１２ｎの前端縁とが干渉することになる。このような構成によって、トレー３０がハウジング１０から不所望に脱落することが防止される。
【００３２】
次いで、ハウジング１０内に収納体２０が取り付けられる。具体的には、ハウジング１０の一対の側壁１１、１３に設けられた突条１１ｐ、１３ｐと収納体２０の一対の側壁２１ｗに設けられたガイド溝２４とが互いに嵌り合うようにハウジング１０に収納体２０がセットされ、この状態でハウジング１０内に収納体２０が押し込まれる。この時、収納体２０は、一対の側壁２１ｗの外側に設けられた弾性爪２３がハウジング１０の一対の側壁１１、１３に当接して撓みつつハウジング１０内に移動される。そして、当該弾性爪２３がハウジング１０の一対の側壁１１、１３に設けられた開口部１１ｎ、１３ｎに入り込むと、その撓み状態が解放される。弾性爪２３は、図３に示すように、収納体２０の前方（図３における左上方）に向かって次第に立ち上がる形状となっている。このため、収納体２０がハウジング１０内に取り付けられた状態で収納体２０をハウジング１０から引き抜こうとすると、弾性爪２３と開口部１１ｎ、１３ｎの前端縁とが干渉することになる。このような構成によって、収納体２０がハウジング１０から不所望に脱落することが防止される。
【００３３】
なお、収納体２０がハウジング１０に取り付けられる過程で、後述されるように、トレー３０の係合部３６と収納体２０の第１突起２６及び第２突起２７とが互いに当接する。しかしながら、トレー３０の係合部３６は、前述したように圧縮可能なコイルバネ３８によって付勢されているため、当該コイルバネ３８が圧縮変形されることによって、係合部３６が収納体２０の第１突起２６及び第２突起２７を乗り越えることができる。
【００３４】
次に、以上のようにして組み付けられた引き出し装置１００の作用について、図５乃至図１０を参照して説明する。
【００３５】
図５は、図１Ａ及び図１Ｂの引き出し装置１００を示す概略平面図であり、図６は、図５のＡ−Ａ線断面図である。図５及び図６において、収納体２０及びトレー３０は共にハウジング１０内に格納されている。この時、図５に示すように、収納体２０の化粧板２２がハウジング１０の前面の開口部１０ａを閉鎖している。また、図６に示すように、収納体２０の第１突起２６及び第２突起２７は、いずれもトレー３０の係合部３６の後方（図６における左方）に位置している。具体的には、第１突起２６及び第２突起２７のうち相対的に上方に位置する第１突起２６が、トレー３０の係合部３６のすぐ後ろに位置している。このため、ハウジング１０から収納体２０が引き出されると、収納体２０の第１突起２６がトレー３０の係合部３６を前方に押し出し、これによって収納体２０に連動してトレー３０もハウジング１０から引き出される。
【００３６】
この引き出しの過程で、トレー３０の上面に設けられた２つの弾性爪３４がハウジング１０の側壁１２に設けられた２本の長孔１２ｎの前端縁に当接し、トレー３０の引き出しが終了する。この状態から収納体２０がハウジング１０から更に引き出されると、収納体２０の第１突起２６がトレー３０の係合部３６を上方に押圧し、これによって係合部３６を付勢しているコイルバネ３８が圧縮変形されると共に係合部３６が上方へ押し上げられる。そして、収納体２０がハウジング１０から更に引き出されると、収納体２０の第１突起２６が係合部３６の前方に移動し、トレー３０の係合部３６が再びコイルバネ３８によって初期状態まで押し戻される。要するに、収納体２０がハウジング１０から引き出される過程で、トレー３０の係合部３６が収納体２０の第１突起２６を乗り越える。前述したように、第１突起２６には、収納体２０の後壁２１ｒに対して鈍角をなすように傾斜した斜面２６ｓが設けられているため、トレー３０の係合部３６は、収納体２０の第１突起２６をスムーズに乗り越える。また、この乗り越えの際には、操作する者に対して、クリック感（節度感）が提供される。その後、収納体２０の弾性爪２３がハウジング１０の一対の側壁１１、１３に設けられた開口部１１ｎ、１３ｎの前端縁に当接し、収納体２０及びトレー３０のハウジング１０からの引き出しが完了する。
【００３７】
収納体２０及びトレー３０の引き出しが完了し、最大引き出し位置に位置付けられた状態が、図７Ａ乃至図８に示されている。図７Ａは、図１Ａ及び図１Ｂの引き出し装置１００の、収納体２０及びトレー３０が共に引き出された状態を示す概略斜視図であり、図７Ｂは、図７Ａの引き出し装置１００を異なる角度から示す概略斜視図であり、図８は、図５のＡ−Ａ線に対応する線で切断した、図７Ａ及び図７Ｂの概略断面図である。
【００３８】
図８から理解されるように、収納体２０及びトレー３０の引き出しが完了すると、収納体２０の第２突起２７が、トレー３０の係合部３６のすぐ後ろに位置付けられる。このため、トレー３０は、不所望にハウジング１０内へと移動してしまうことが無く、最大引き出し位置が維持される。
【００３９】
本実施の形態による引き出し装置１００は、収納体２０及びトレー３０の引き出しが完了した状態から、トレー３０のみをハウジング１０内に格納させることができる。この場合、格納操作をする者が例えばトレー３０の一方の操作部３２を把持し、トレー３０を後方に、すなわちハウジング１０内に向かって押し込めば良い。前述したように、トレー３０は、最大引き出し位置において収納体２０の第２突起２７がトレー３０の係合部３６のすぐ後ろに位置し、互いに係合した状態にある。このため、トレー３０をハウジング１０内に格納させるためには、収納体２０の第２突起２７がトレー３０の係合部３６を付勢するコイルバネ３８を圧縮変形させて当該係合部３６を押し上げ得る程度の力で、一方の操作部３２がハウジング１０内に向かって押し込まれる必要がある。このことにより、トレー３０の係合部３６が収納体２０の第２突起２７を乗り越え、トレー３０がハウジング１０内に格納される。本実施の形態では、前述したように、第２突起２７には、収納体２０の後壁２１ｒに対して鈍角をなすように傾斜した斜面２７ｓが設けられているため、トレー３０の係合部３６は、収納体２０の第２突起２７をスムーズに乗り越える。
【００４０】
トレー３０のみがハウジング１０内に格納された状態の引き出し装置１００が、図９Ａ乃至図１０に示されている。図９Ａは、図１Ａ及び図１Ｂの引き出し装置１００の、収納体２０のみが引き出された状態、すなわちトレー３０のみがハウジング１０内に格納された状態、を示す概略斜視図であり、図９Ｂは、図９Ａの引き出し装置１００を異なる角度から示す概略斜視図であり、図１０は、図５のＡ−Ａ線に対応する線で切断した、図９Ａ及び図９Ｂの概略断面図である。
【００４１】
図９Ａ及び図９Ｂに示すように、トレー３０のみがハウジング１０内に格納された状態では、収納体２０の上方の開口が大きく露出するため、収納体２０が小物入れとして好適に利用される。なお、前述したように、一方の操作部３２は他方の操作部３３よりも前方に位置している（図４Ａ及び図４Ｂ参照）。このため、図９Ａ及び図９Ｂに示すように、トレー３０をハウジング１０内に格納した状態において、一方の操作部３２がハウジング１０の前面の開口部１０ａから僅かに外部に露出する。
【００４２】
もちろん、トレー３０のみがハウジング１０内に格納された状態から、トレー３０を再度引き出すことも可能である。この場合、トレー３０をハウジング１０内に格納する時とは逆の動作を行えばよい。すなわち、操作する者が例えば一方の操作部３２を把持して前方に引き出せばよい。これに伴って、トレー３０がハウジング１０から引き出される。そして、トレー３０が最大引き出し位置まで引き出される直前に、トレー３０の係合部３６が収納体２０の第２突起２７に当接する。ここから更に操作部３２を前方に引き出すと、収納体２０の第２突起２７がトレー３０の係合部３６を付勢するコイルバネ３８を圧縮変形させて係合部３６を押し上げ、トレー３０の係合部３６が収納体２０の第２突起２７を乗り越える。その後、トレー３０の２つの弾性爪３４がハウジング１０の長孔１２ｎの前端縁に当接し、トレー３０の更なる引き出しが防止される。このようにして、トレー３０が最大引き出し位置に位置付けられる（図７Ａ乃至図８参照）。
【００４３】
収納体２０及びトレー３０が共に最大引き出し位置に位置している状態から、収納体２０及びトレー３０をハウジング１０内に格納させるためには、格納操作をする者が、例えば化粧板２２を把持して収納体２０を後方に、すなわちハウジング１０内に向かって、押し込めばよい。この押し込み操作により、まず収納体２０がハウジング１０内に向かって移動する。この時、トレー３０は最大引き出し位置を維持している。そして、図８から理解されるように、収納体２０がハウジング１０内に向かってある程度移動すると、トレー３０の係合部３６に収納体２０の第１突起２６が前方から当接し係合する。このことにより、収納体２０がハウジング１０内に向かって更に移動されると、収納体２０に連動してトレー３０もハウジング１０内に向かって移動する。
【００４４】
そして、収納体２０がハウジング１０内に完全に格納される直前に、トレー３０の後端部がハウジング１０の後壁１５に当接し、トレー３０の格納が完了する。この状態から収納体２０を更にハウジング１０内に向かって（後方に）移動させると、収納体２０の第１突起２６がトレー３０の係合部３６を付勢するコイルバネ３８を圧縮させて当該係合部３６を押し上げつつ後方に移動する。その後、収納体２０の第１突起２６が係合部３６の後方へと移動すると、収納体２０がハウジング１０の後壁１５に当接し、収納体２０の格納が完了する。すなわち、図１Ａ、図１Ｂ及び図６に示す状態が復元される。
【００４５】
他の格納の態様として、図９Ａ乃至図１０に示すようにトレー３０がハウジング１０内に格納され収納体２０のみがハウジング１０から引き出されている状態から、収納体２０をハウジング１０内に格納する場合の動作について説明する。この場合も、格納操作をする者が、例えば化粧板２２を把持して収納体２０を後方に、すなわちハウジング１０内に向かって、押し込めばよい。この押し込み操作により、収納体２０がハウジング１０内に向かって移動する。そして、図１０から理解されるように、収納体２０がハウジング１０内に向かって移動すると、トレー３０の係合部３６に収納体２０の第２突起２７が前方から当接する。この状態から収納体２０をハウジング１０内に向かって（後方に）更に移動させると、収納体２０の第２突起２７がトレー３０の係合部３６を付勢するコイルバネ３８を圧縮させて当該係合部３６を押し上げつつ後方に移動する。そして、収納体２０をハウジング１０内に向かって（後方に）更に移動させると、次は、収納体２０の第１突起２６がトレー３０の係合部３６を付勢するコイルバネ３８を圧縮させつつ後方に移動する。このことにより、収納体２０の第１突起２６は、当該係合部３６の後方に位置付けられ、この時、収納体２０のハウジング１０内への格納が完了する。すなわち、図１Ａ、図１Ｂ及び図６に示す初期状態が復元される。
【００４６】
以上の説明から明らかなとおり、トレー３０がハウジング１０から引き出されているか否かによらず、収納体２０をハウジング１０内に格納すると、図１Ａ、図１Ｂ及び図６に示す初期状態が復元される。このため、再度収納体２０をハウジング１０から引き出すと、前述したように、常に、収納体２０に連動してトレー３０も引き出されるのである。
【００４７】
以上のような本実施の形態による引き出し装置１００によれば、収納体２０がハウジング１０内に格納される時にトレー３０が引き出されていたか格納されていたかにかかわらず、収納体２０の第１突起２６とトレー３０の係合部３６とが互いに係合する。このため、再度収納体２０を引き出す際に、収納体２０とトレー３０とが連動して引き出される引き出し装置１００、すなわち収納体２０を引き出す際に常にトレー３０も連動して引き出される引き出し装置１００、を提供することができる。
【００４８】
また、本実施の形態による引き出し装置１００において、収納体２０には、当該収納体２０の出し入れ方向に沿って複数の係合部である第１突起２６及び第２突起２７が設けられ、これら第１突起２６及び第２突起２７は、トレー３０に設けられた係合部３６と選択的に係合するようになっている。このため、収納体２０をハウジング１０から引き出す際に、収納体２０とトレー３０とを確実に連動させることができる。更に、収納体２０に対するトレー３０の相対位置を選択的に決定することができる。
【００４９】
また、トレー３０を収納体２０に対して移動させることにより、収納体２０の第１突起２６及び第２突起２７とトレー３０に設けられた係合部３６との係合状態が解除可能である。このため、収納体２０とトレー３０とを個別に引き出すことができる。更に、収納体２０とトレー３０とをハウジング１０から引き出した状態でトレー３０のみをハウジング１０内に格納すれば、収納体２０を小物入れとして利用することができる。
【００５０】
更に、引き出し装置１００において、収納体２０の第１突起２６及び第２突起２７とトレー３０の係合部３６とは、収納体２０の出し入れ方向に沿って配置され、トレー３０の係合部３６が圧縮状態のコイルバネ３８を介して設けられている。このため、簡易な構成によって、トレー３０の係合部３６が収納体２０の第１突起２６及び第２突起２７を乗り越え可能な（係合状態を解除可能な）機構を実現できる。すなわち、収納体２０とトレー３０とを個別に出し入れ可能な引き出し装置１００が実現できる。更に、係合状態が解除される際にクリック感を発生させることができる。
【００５１】
本実施の形態のトレーは、容器挿入孔または容器挿入用切り欠き部として、前端面３５の輪郭線が円弧状となるように切り欠かれている。このため、トレー３０により、缶等の容器を安定して保持することができる。
【００５２】
また、トレー３０は、ハウジング１０の開口側に２つの操作部３２、３３を有しているため、トレー３０のみをハウジング１０から出し入れする操作を容易に行うことができる。
【００５３】
また、収納体２０の第１突起２６及び第２突起２７は、収納体２０の出し入れ方向に対して鈍角に傾斜した斜面２６ｓ、２７ｓを有しているため、トレー３０の係合部３６が収納体２０の第１突起２６及び第２突起２７を乗り越える際に、スムーズな動作を実現することができる。
【００５４】
なお、本実施の形態による引き出し装置１００では、トレー３０の係合部３６が圧縮状態のコイルバネ３８を介して設けられていたが、このような形態には限定されない。例えば、トレー３０の係合部３６が弾性部材で構成することによっても、簡易な構成によって、トレー３０の係合部３６が収納体２０の第１突起２６及び第２突起２７を乗り越え可能な（係合状態を解除可能な）機構を実現できる。この場合も、係合状態が解除される際にクリック感を発生させることができる。
【００５５】
本実施の形態による引き出し装置１００は、収納体２０に２つの係合部として第１突起２６及び第２突起２７が設けられ、トレー３０に圧縮状態のコイルバネ３８を介した係合部３６が設けられているが、これとは逆に、収納体２０に圧縮状態のコイルバネ３８を介した係合部が設けられ、トレー３０に２つの係合部が設けられていても良い。また、収納体２０及びトレー３０の少なくとも一方に複数の係合部が設けられる場合、その数は２つに限られず、３つ以上であっても良い。
【００５６】
更に、係合部の具体的な態様としては、互いに凸部である必要は無く、例えば磁石を採用しても良い。すなわち、例えば収納体２０にＮ極が上方を向くように第１の磁石を固定し、トレー３０にＳ極が下方を向くように第２の磁石を固定し、これら第１及び第２の磁石の吸引力によって、トレー３０を収納体２０に連動してハウジング１０から引き出されるようにしても良い。
【符号の説明】
【００５７】
１０  ハウジング
１０ａ  開口部
１１  側壁
１１ｇ  突条
１１ｎ  開口部
１１ｐ  突条
１２  側壁
１２ｎ  長孔
１３  側壁
１３ｎ  開口部
１３ｐ  突条
１４  側壁
１５  後壁
２０  収納体
２１  収納部
２１ｒ  後壁
２１ｗ  側壁
２２  化粧板
２３  弾性爪
２４  ガイド溝
２５  底部
２６  第１突起
２６ｓ  斜面
２７  第２突起
２７ｓ  斜面
３０  トレー
３１  本体部
３１ｇ  案内溝
３２  操作部
３３  操作部
３４  弾性爪
３５  前端面
３６  係合部
３６ｅ  係合突起
３６ｐ  凸部
３６ｗ  壁部
３７  台座
３７ｎ  係合孔
３８  コイルバネ
１００  引き出し装置
【図１Ａ】
2018069897.tif 000003
【図１Ｂ】
2018069897.tif 000004
【図２】
2018069897.tif 000005
【図３】
2018069897.tif 000006
【図４Ａ】
2018069897.tif 000007
【図４Ｂ】
2018069897.tif 000008
【図５】
2018069897.tif 000009
【図６】
2018069897.tif 000010
【図７Ａ】
2018069897.tif 000011
【図７Ｂ】
2018069897.tif 000012
【図８】
2018069897.tif 000013
【図９Ａ】
2018069897.tif 000014
【図９Ｂ】
2018069897.tif 000015
【図１０】
2018069897.tif 000016
【図１１】
2018069897.tif 000017
【図１２】
2018069897.tif 000018